(57)【特許請求の範囲】
【請求項１】
第一、第二の電極で誘電体層を挟み、第一、第二の電極と誘電体層との境界面に集電層を設けた大容量キャパシタ装置において、
前記集電層は、セラミック微粒子を金属で被覆したマイクロ乃至ピコサイズの導電性微粒子が融着によって３次元的に相互連結された構造であり、かつその導電性微粒子の間が空隙になっていることを特徴とする大容量キャパシタ装置。
【請求項２】
第一、第二の電極で誘電体層を挟み、第一、第二の電極と誘電体層との境界面に集電層を設けた大容量キャパシタ装置において、
前記集電層は、プラスチック微粒子を金属で被覆したマイクロ乃至ピコサイズの導電性微粒子が融着によって３次元的に相互連結された構造であり、かつその導電性微粒子の間が空隙になっていることを特徴とする大容量キャパシタ装置。
【請求項３】
請求項１又は２において、
前記大容量キャパシタ装置は絶縁性シート基材の一方の面に形成されており、かつ多重円筒巻されて円筒状キャパシタユニットを構成していることを特徴とする大容量キャパシタ装置。
【請求項４】
請求項１又は２において、
前記大容量キャパシタ装置は多重に積層させて並列に接続されている大容量キャパシタ装置。
【請求項５】
請求項１乃至４のいずれか一項に記載の大容量キャパシタ装置と、充放電制御回路とを備えて構成された二次電池。
【発明の詳細な説明】
【技術分野】
【０００１】
本発明は、第一、第二の電極と誘電体層との境界面に集電層を設けた大容量キャパシタ装置の改良と、その改良されたキャパシタ装置を用いた二次電池とに関する。
【背景技術】
【０００２】
前記のような大容量キャパシタ装置の従来技術として次の特許文献がある。
【先行技術文献】
【特許文献】
【０００３】
【特許文献１】特許第５３９４９８７号公報
【発明の概要】
【発明が解決しようとする課題】
【０００４】
ところで前記のような大容量化キャパシタ装置においては、その大容量化が普遍的な課題である。本発明は、この課題に対し、新規な構成の集電層を備えた大容量キャパシタ装置を提供することを目的としている。
【課題を解決するための手段】
【０００５】
請求項１に記載の本発明は、第一、第二の電極で誘電体層を挟み、第一、第二の電極と誘電体層との境界面に集電層を設けた大容量キャパシタ装置において、前記集電層は、セラミック微粒子を金属で被覆したマイクロ乃至ピコサイズの導電性微粒子が融着によって３次元的に相互連結された構造であり、かつその導電性微粒子の間が空隙になっていることを特徴とする大容量キャパシタ装置である。
また、請求項２に記載の本発明は、第一、第二の電極で誘電体層を挟み、第一、第二の電極と誘電体層との境界面に集電層を設けた大容量キャパシタ装置において、前記集電層は、プラスチック微粒子を金属で被覆したマイクロ乃至ピコサイズの導電性微粒子が融着によって３次元的に相互連結された構造であり、かつその導電性微粒子の間が空隙になっていることを特徴とする大容量キャパシタ装置である。
【０００６】
また本発明は、前記キャパシタ装置と、充放電制御回路とを備えて構成された二次電池である。
【発明の効果】
【０００７】
本発明は、大容量キャパシタ装置を提供できる。
【図面の簡単な説明】
【０００８】
【図１】（ａ）は一実施形態の基本的な構成図、（ｂ）は集電層の概略断面図である。
【図１Ａ】（ａ）、（ｂ）はいずれも集電層の他例の概略断面図である。
【図２】は実施形態の他例の基本的な構成図である。
【図３】（ａ）はキャパシタユニットの基本的な構成図、（ｂ）は二次電池の基本的な構成図である。
【図４】二次電池の基本的な回路図である。
【図５】二次電池の充放電特性図である。
【発明を実施するための形態】
【０００９】
図１（ａ）は、本発明の一実施形態の基本的な構成図である。
この実施形態のキャパシタ装置Ａは、第一、第二の電極１、１で誘電体層３を挟み、第一、第二の電極１、２と誘電体層３との境界面に集電層２、２を設けた基本構成であり、絶縁性シート基材４の片面に形成されている。集電層２、２はマイクロ乃至ピコサイズの導電性微粒子２ａが３次元的に相互連結し、かつその導電性微粒子２ａ間が空隙に２ｄなっている。この空隙２ｄは所定のガスで満たされている。また第一、第二の電極１、１と、集電層２、２の導電性微粒子２ａとは電気的に接続されている。誘電体層３は、例えばチタン酸バリウム等のセラミックからなる。
なおここに云うマイクロサイズ乃至ピコサイズの文言は、導電性微粒子２ａの三方向寸法の最大値が１ミリメートル未満かつ１ナノメートル以上であるということである。
また前記ガスは空気であってもよいし、集電層２、２の製造工程で用いられる特定ガスであってもよい。要するに導電性微粒子２ａの間隙が固体や液体ではなく、何らかのガスで充填されていればよい。
また第一、第二の電極１、１は、例えば銅、ニッケル等の金属やそれらの合金からなり、出力用リード線５、５に接続されている。
【００１０】
図１（ｂ）は、集電層の概略断面図である。
この図に示すように、集電層２は、マイクロ乃至ピコサイズの導電性微粒子２ａが３次元的に相互連結した立体網目状の構造であり、導電性微粒子２ａ間の空隙２ｄは所定のガスで満たされている。またこの例の導電性微粒子２ａは、中実な金属微粒子である。微粒子を形成する金属に特段の制限はなく、第一、第二の電極１、１を形成する金属と同一のものとしてもよく、異なるものとしてもよい。ただしその金属は第一、第二の電極１、１と同等以上の電気伝導性を有することが望ましい。
このような金属微粒子を用いた集電層２、２はスパッタリングで形成できる。すなわち金属蒸気を基材上（例えば誘電層）で微粒子状に急速固化させることで基材に積層された形態、つまりスパッタリング形成層として集電層２、２を形成できる。
あるいは金属微粒子とバインダー樹脂との混練物をプレスや押出によってシート化し（グリーンシート）、これをその金属の融点近くまで加熱処理することによって、バインダー樹脂を消失させかつ金属微粒子を相互に融着させることができ、シート状の集電層２、２を形成できる。
キャパシタ装置Ａの製造方法について若干補足すると、第一、第二の電極１、１、誘電体層２，２は、いずれも予め準備したシート状のものを用いることも可能であり、スパッタリング等によって基材上に所定順序で形成していくことも可能である。
【００１１】
本発明は、前記のような特異な構造の集電層２、２に着目したものであり、以下のような効果を奏する。また本発明は、集電層２、２以外の、すなわち第一、第二の電極１、１、誘電体層等については何ら制限しておらず、多様な構成の電極、誘電体層を有する各種キャパシタ装置に広く適用できる。
本発明によれば、集電層２、２に形成された立体網目状の構造は、マイクロ乃至ピコサイズの微細な金属片、薄膜の連続体であり、そのため体積比で巨大な表面積を有する。そのような立体網目状構造の金属を第一、第二の電極１、１に電気的に接続させれば、第一、第二の電極１、１の表面が飛躍的に拡大されることになって、キャパシタ装置Ａが大容量される。
【００１２】
図１Ａ（ａ）、（ｂ）はいずれも集電層の他例の概略断面図である。
図１Ａ（ａ）に示す集電層２では、導電性微粒子２ａは、所定のセラミック微粒子２ｂを金属で被覆したものになっている。セラミックの種別は特に制限されない。
このような導電性微粒子２ａを用いた集電層２は、金属で被覆されたセラミック微粒子２ｂとバインダー樹脂との混練物をシート化し、これをその金属の融点近くまで加熱処理することで形成できる。
この例の効果としては、セラミック微粒子２ｂの形状、寸法、量の適切な選択によって、立体網目状構造の形状を自由にコントロールできる点である。
図１Ａ（ｂ）に示す集電層２では、導電性微粒子２ａは、所定のプラスチック微粒子２ｃを金属で被覆したものになっている。プラスチックの種別は特に制限されない。この例の集電層２も、前記と同様に、金属で被覆された微粒子とバインダー樹脂との混練物をシート化し、これをその金属の融点近くまで加熱処理することで形成できる。なおプラスチック微粒子２ｃのプラスチック部分は、加熱処理後に残存する場合もあり、消失する場合もある。この例の効果は、前記と同様である。
【００１３】
図２は、実施形態の他例の基本的な構成図である。
この実施形態は、前記実施形態のキャパシタ装置Ａを多重に積層させて並列化したものである。並列化されたキャパシタ装置Ａのそれぞれは、前記実施形態と同様のものである。このような多重積層による並列化によってキャパシタ装置Ａを更に大容量化できる。
【００１４】
図３（ａ）、（ｂ）はそれぞれキャパシタユニット、二次電池の基本的な構成図である。また図４は、二次電池の基本的な回路図、図５は二次電池の充放電特性図である。
このキャパシタユニットは、図１（ａ）に示したキャパシタ装置Ａを多重円筒巻した構成である。このような構成とすれば、大容量かつ小型のキャパシタユニットが得られる。
二次電池Ｂは、キャパシタ装置Ａを２以上と、充放電制御回路Ｃとを備えて構成されている。充放電制御回路Ｃは、キャパシタの一般的特性である急速充電、急速放電を、一般的二次電池のような穏やかなものにする装置であり、ＤＣ−ＤＣコンバータ等で構成できる。このような二次電池Ｂは、従来の鉛、ニッカド蓄電池、リチウムイオン蓄電池等を代替できる。
なお図２に示したキャパシタ装置Ａと、前記のような充放電制御回路Ｃとを組み合わせて二次電池Ｂを構成していてもよい。
【００１５】
また本発明によれば、集電層２に用いられる金属が磁化または超伝導化すること、すなわち集電層２の電子流動性を高めることで、キャパシタ装置Ａ、二次電池Ｂの更なる高性能化が期待できる。
【００１６】
また、本発明によれば、導電性微粒子２ａを形成するセラミック微粒子２ｂ、プラスチック微粒子２ｃは、球状、躯体状、テトラポット形状、長繊維状または短繊維状のいずれか、またはそれらを組み合わせた形状を有する。これらの形状のいずれかまたはそれらの組み合わせにより、キャパシタ装置Ａ、二次電池Ｂの更なる高性能化が期待できる。
【符号の説明】
【００１７】
Ａ      キャパシタ装置
Ｂ      二次電池
Ｃ      充放電制御回路
１      電極
２      集電層
２ａ    導電性微粒子
２ｂ    セラミック微粒子
２ｃ    プラスチック微粒子
３      誘電体層
４      絶縁性シート基材
【図１】
0006903277.tif 000002
【図１Ａ】
0006903277.tif 000003
【図２】
0006903277.tif 000004
【図３】
0006903277.tif 000005
【図４】
0006903277.tif 000006
【図５】
0006903277.tif 000007